(57)【要約】 【課題】  外壁におけるスターター部、庇取合い部、軒天井部、笠木部、雨押え部、入隅部に共用でき、それら各部において外壁を構成する外装材の端部を隠して外観性等を向上できる、共用取付且つ簡易取付可能な形状を持つ外壁用役物を提供する。【解決手段】  外壁１を構成する外装材１３の端部を隠す役物２であって、第一平板部２１と、その一端から立設した第一立板部２２および他端から第一立板部２２とは反対方向に立設した第二立板部２３と、第一立板部２２の先端から延設した第二平板部２４とからなる略階段状の断面形状を有している。【選択図】 図１
2007032053.tif 000002
【特許請求の範囲】
【請求項１】
外壁を構成する外装材の端部を隠す役物であって、第一平板部と、その一端から立設した第一立板部および他端から第一立板部とは反対方向に立設した第二立板部と、第一立板部の先端から延設した第二平板部とからなる略階段状の断面形状を有していることを特徴とする外壁用役物。
【請求項２】
外壁を構成する外装材の端部を隠す役物であって、第一平板部と、その一端から立設した第一立板部および他端から第一立板部とは反対方向に立設した第二立板部とからなる略階段状の断面形状を有していることを特徴とする外壁用役物。
【発明の詳細な説明】
【技術分野】
【０００１】
本願発明は、外壁におけるスターター部、庇取合い部、軒天井部、笠木部、雨押え部、入隅部に用いられる役物に関するものである。
【背景技術】
【０００２】
たとえば図８〜図１３に例示したように、従来、建物の外壁１におけるスターター部、庇取合い部、軒天井部、笠木部、雨押え部、入隅部には、外壁１を構成する外装材１３の端部を表側から見えないように隠す役物２を取り付けることがしばしばある。
【０００３】
具体的には、図８に例示したスターター部においては、モルタル仕上げされた既存外壁等の下地外壁１０および胴縁１２が施工されている状態で、化粧層として機能する外装材１３が取り付けられており、この外装材１３の下端部に、略Ｕ字状の断面形状を有するスターターとして機能する役物２がさらに取り付けられている。
【０００４】
図９に例示した庇取合い部においては、外壁１に設けられた開口部１１に庇１００が施工されており、庇１００の上方に位置する外装材１３の下端部および下方に位置する外装材１３の上端部に、それぞれの取付部位に合わせた形状を持つ見切り縁として機能する役物２が取り付けられている。
【０００５】
図１０に例示した軒天井部においては、その軒裏材１１０と外壁１とで成す入隅部位にて、外装材１３の上端部に、入隅部位に合わせた形状を持つ軒天井見切り縁として機能する役物２が取り付けられている。
【０００６】
図１１に例示した笠木部においては、外壁１の上端部に覆い被さるように笠木１２０が施工されており、この笠木１２０では隠されていない外装材１３の上端部に、さらに役物２が取り付けられている。
【０００７】
図１２に例示した雨押え部においては、屋根１３０の上方に位置する外装材１３の下端部に、役物２が取り付けられている。この図１２の例では、図９の庇取合い部における役物２と同じものが流用されている。
【０００８】
図１３に例示した外壁１同士の入隅部においては、外壁１の端部が落ち合う部位に、両端部を隠すように成形された特殊な形状の役物２が取り付けられている。
【０００９】
これらのように外壁１において外装材１３の端部を隠す役物２については、たとえば下記特許文献１にも記載されている。
【特許文献１】特開２００１−１５２６５５号公報
【発明の開示】
【発明が解決しようとする課題】
【００１０】
しかしながら、上記のとおりの役物２は、スターター部、庇取合い部、軒天井部、笠木部、雨押え部、入隅部それぞれに対して、一部共用できる場合はあっても、殆どが異なる形状を持つものとなっており、外壁１の施工時や各部の改装時では多品種の役物２を用意し、しかも各々異なる手法で取り付け施工する必要があった。
【００１１】
そこで、以上のとおりの事情に鑑み、本願発明は、外壁１におけるスターター部、庇取合い部、軒天井部、笠木部、雨押え部、入隅部に共用でき、それら各部において外装材１３の端部を隠して外観性および意匠性を向上することのできる、共用取付且つ簡易取付可能な形状を有する外壁用役物を提供することを課題としている。
【課題を解決するための手段】
【００１２】
本願発明は、上記の課題を解決するものとして、第１には、外壁を構成する外装材の端部を隠す役物であって、第一平板部と、その一端から立設した第一立板部および他端から第一立板部とは反対方向に立設した第二立板部と、第一立板部の先端から延設した第二平板部とからなる略階段状の断面形状を有していることを特徴とする。
【００１３】
第２には、外壁を構成する外装材の端部を隠す役物であって、第一平板部と、その一端から立設した第一立板部および他端から第一立板部とは反対方向に立設した第二立板部とからなる略階段状の断面形状を有していることを特徴とする。
【発明の効果】
【００１４】
上記第１および第２の発明によれば、上記のとおりの形状を有することによって、外壁におけるスターター部、庇取合い部、軒天井部、笠木部、雨押え部、入隅部に対して相互に流用することができ、各部にて、外壁を構成する外装材の端部を隠して外観性および意匠性を向上できるといった利点はそのままに、従来よりも少ない品種で共用取付および簡易取付が可能な外壁用役物が実現される。これにより、同じ形状品種の役物を、たとえばスターター部に対してはスターター、庇取り合い部に対しては見切り縁、軒天井部に対しては軒天井見切り縁として機能させて、しかも同じ取付手法で施工でき、役物種類の削減および施工の省力化が図られる。
【発明を実施するための最良の形態】
【００１５】
［第一の実施形態］
図１〜図５は、各々、本願発明の一実施形態を示したものである。
【００１６】
本実施形態では、役物２は、帯板状の第一平板部２１と、第一平板部２１における奥側に位置する一端縁から垂直に立設した第一立板部２２と、第一平板部２１における手前側に位置する他端縁から第一立板部２２とは反対方向に垂直に立設した第二立板部２３と、第一立板部２２の先端からさらに延設した第二平板部２４を備え、それらにより構成される二段の断面略階段状のものとなっている。
【００１７】
そして、この役物２を、外壁１のスターター部（図１）、庇取合い部（図２）、軒天井部（図３）、笠木部（図４）、雨押え部（図５）に取り付けている。
【００１８】
具体的には、図１に例示したスターター部においては、モルタル仕上げされた既存外壁等の下地外壁１０および胴縁１２が施工されている状態で、化粧層として機能する外装材１３がさらに取り付けられており、この外装材１３の下端部を隠すようにスターターとして機能する上記役物２が取り付けられている。図１では、胴縁１２の下端部よりも少し上方にずれて外装材１３の下端部が位置しており、ちょうどそれら下端部に役物２の第二平板部２４、第一立板部２２、第一平板部２１、第二立板部２３で構成される階段形状が合わされている。そして、前方からの固定ネジ３の捩じ込みにより、第一立板部２２が胴縁１２にネジ止めされて、役物２が固定されている。
【００１９】
図２に例示した庇取合い部においては、外壁１に設けられた開口部１１に庇１００が施工されており、庇１００の上方に位置する外装材１３の下端部および下方に位置する外装材１３の上端部に、見切り縁として機能する上記役物２が取り付けられている。図２では、図１と同様に上方位置の外装材１３は胴縁１２の下端部よりも少し上方にずれて位置し、下方位置の外装材１３は胴縁１２の上端部よりも少し下方にずれて位置しており、ちょうどそれら下端部または上端部に役物２の第二平板部２４、第一立板部２２、第一平板部２１、第二立板部２３で構成される階段形状が合わされている。そして、前方からの固定ネジ３の捩じ込みにより、第一立板部２２が胴縁１２にネジ止めされて、役物２が固定されている。
【００２０】
図３に例示した軒天井部においては、その軒裏材１１０と外壁１とで成す入隅部位にて、外装材１３の上端部に、軒天井見切り縁として機能する上記役物２が取り付けられている。図３では、図２と同様に外装材１３の上端部が胴縁１２の上端部よりも少し下方にずれて位置しており、ちょうどそれら上端部に役物２の第二平板部２４、第一立板部２２、第一平板部２１、第二立板部２３で構成される階段形状が合わされている。そして、前方からの固定ネジ３の捩じ込みにより、第一立板部２２が胴縁１２にネジ止めされて、役物２が固定されている。
【００２１】
図４に例示した笠木部においては、外壁１の上端部に覆い被さるように笠木１２０が施工されており、この笠木１２０では隠されていない外装材１３の上端部に、上記役物２が取り付けられている。図４では、図２と同様に外装材１３の上端部が胴縁１２の上端部よりも少し下方にずれて位置しており、ちょうどそれら上端部に役物２の第二平板部２４、第一立板部２２、第一平板部２１、第二立板部２３で構成される階段形状が合わされている。そして、前方からの固定ネジ３の捩じ込みにより、第一立板部２２が胴縁１２にネジ止めされて、役物２が固定されている。
【００２２】
図５に例示した雨押え部においては、屋根１３０の上方に位置する外装材１３の下端部に、上記役物２が取り付けられている。図５では、図１と同様に外装材１３の下端部が胴縁１２の下端部よりも少し上方にずれて位置しており、ちょうどそれら下端部に役物２の第二平板部２４、第一立板部２２、第一平板部２１、第二立板部２３で構成される階段形状が合わされている。そして、前方からの固定ネジ３の捩じ込みにより、第一立板部２２が胴縁１２にネジ止めされて、役物２が固定されている。
【００２３】
以上から明らかなように、外壁１のスターター部（図１）、庇取合い部（図２）、軒天井部（図３）、笠木部（図４）、雨押え部（図５）のいずれに対しても、同じ形状の上記役物２を用いることができ、しかも同じ手法で簡単に取り付けることができる。
【００２４】
［第二の実施形態］
一方、図６は、外壁１同士の入隅部における本願発明の一実施形態を示したものであり、本実施形態では、役物２は、帯板状の第一平板部２１と、第一平板部２１における奥側に位置する一端縁から垂直に立設した第一立板部２２と、第一平板部２１における手前側に位置する他端縁から第一立板部２２とは反対方向に垂直に立設した第二立板部２３とを備え、それらにより構成される一段の断面略階段状のものとなっている。
【００２５】
そして、この役物２を二つ用いて、外壁１の端部が落ち合う部位に、それぞれ両端部を隠すように取り付ける。
【００２６】
図６では、下地外壁１０の入隅部に二つの胴縁１２ａ，１２ｂが固定され、さらにそれら胴縁１２ａ，１２ｂによる入隅部にスペーサー部材１４が設けられており、そしてスペーサー部材１４の一方の側面から少し離した位置に一方の外装材１３ａと、他方の側面から同様に少し離した位置にもう一方の外装材１３ｂが施工されている。
【００２７】
この状態にて、一方の役物２ａを、スペーサー部材１４と外装材１３ａとの間に形成されている空間（役物取付用空間と呼ぶこととする）４に第一立板部２２および第一平板部２１を挿入して取り付ける。このとき、第一立板部２２は、胴縁１２ａに当接し、第一平板部２１は、第一立板部２２から役物取付用空間４を抜けて外装材１３ａの端部表面よりも前方に突出し、第一平板部２１の突出端から立設した第二立板部２３は、外装材１３ａの端部表面をその前方に位置して隠すようになる。後は、役物取付用空間４に挿入した状態の役物２を固定するために、固定ネジ３を前方から捩じ込み、第一立板部２２を胴縁１２ａに対してネジ止めすればよい。
【００２８】
もう一方の役物２ｂについても、同様にして、スペーサー部材１４と外装材１３ｂとの間に形成されている役物取付用空間４に第一立板部２２および第一平板部２１を挿入し、固定ネジ３によって第一立板部２２を胴縁１２ｂにネジ止めして、取付固定すればよい。
【００２９】
ここで、本実施形態における役物２ａ，２ｂは、前記第一の実施形態における役物２とは第二平板部２４がない点でのみ形状が異なっているため、前記第一の実施形態における役物２を用意して、その第二平板部２４を施工現場等にて随時切断することで、本実施形態における役物２ａ，２ｂと同じ形状のものとし、これを上述したとおりに入隅部に取り付けることができる。
【００３０】
これによれば、一種類の役物２でスターター部、庇取合い部、軒天井部、笠木部、雨押え部、入隅部全てに対応できることとなる。
【００３１】
［他の実施形態］
以上のとおりの各実施形態における役物２は、その裏側に水密材５を設けて、第二立板部２３と外装材１３との間からの漏水を防ぐようにもしている。水密材５は、スポンジパッキン状のものであり、図７（ａ）（ｂ）に拡大例示したように、役物２の第二立板部２３裏面に設けられた取付部２３１に取付片５１が嵌入されて、取り付けられる。
【００３２】
また、第一の実施形態において、図１、図２、図５のように外装材１３の下端部に役物２が取り付けられる場合では、第一平板部２１の適宜位置に水抜き孔（図示なし）を設けて、水密材５で防ぎきれなかった雨水等を水抜き穴から外部に排出するようにしてもよい。
【００３３】
また、第二の実施形態では、固定状態の第一立板部２２および第一平板部２１とスペーサー部材１４との間に形成された空間に対して、バックアップ材６およびシーリング材７を充填しており、かかる空間からの漏水をも防ぐようにしている。
【００３４】
またさらに、たとえば図７（ａ）（ｂ）に例示したように、役物２の第一平板部２１および第一立板部２２の適宜位置に通気孔２１１，２２１を設けて、役物２に通気機能を持たせるようにしてもよい。これによれば、仮に役物２と外装材１３との間から雨水が流入したとしても、通気効果によりその蒸発が促されることになる。
【図面の簡単な説明】
【００３５】
【図１】外壁スターター部における本願発明の一実施形態を示した断面図。
【図２】外壁庇取合い部における本願発明の一実施形態を示した断面図。
【図３】外壁軒天井部における本願発明の一実施形態を示した断面図。
【図４】外壁笠木部における本願発明の一実施形態を示した断面図。
【図５】外壁雨押え部における本願発明の一実施形態を示した断面図。
【図６】外壁入隅部における本願発明の一実施形態を示した断面図。
【図７】（ａ）（ｂ）は、各々、本願発明の別の一実施形態を示した断面図。
【図８】外壁スターター部における一従来例を示した断面図。
【図９】外壁庇取合い部における一従来例を示した断面図。
【図１０】外壁軒天井部における一従来例を示した断面図。
【図１１】外壁笠木部における一従来例を示した断面図。
【図１２】外壁雨押え部における一従来例を示した断面図。
【図１３】外壁入隅部における一従来例を示した断面図。
【符号の説明】
【００３６】
１  外壁
１０  下地外壁
１１  開口部
１２，１２ａ，１２ｂ  胴縁
１３，１３ａ，１３ｂ  外装材
１４  スペーサー部材
２，２ａ，２ｂ  役物
２１  第一平板部
２１１  通気孔
２２  第一立板部
２２１  通気孔
２３  第二立板部
２３１  取付部
２４  第二平板部
３  固定ネジ
４  役物取付用空間
５  水密材
５１  取付片
６  バックアップ材
７  シーリング材
１００  庇
１１０  軒裏材
１２０  笠木
１３０  屋根
【図７】
2007032053.tif 000003
【図１】
2007032053.tif 000004
【図２】
2007032053.tif 000005
【図３】
2007032053.tif 000006
【図４】
2007032053.tif 000007
【図５】
2007032053.tif 000008
【図６】
2007032053.tif 000009
【図８】
2007032053.tif 000010
【図９】
2007032053.tif 000011
【図１０】
2007032053.tif 000012
【図１１】
2007032053.tif 000013
【図１２】
2007032053.tif 000014
【図１３】
2007032053.tif 000015